(57)【特許請求の範囲】
【請求項１】
裏蓋と、非電導性材料で構成された胴を備えたケース内に、バーアンテナとムーブメントを収納し、前記ケースとは別体で、かつ電導性材料で構成された外装部を前記ケースの外側に配置し、前記バーアンテナの軸線の延長線と平面視で重ならない位置で前記胴と前記裏蓋を電導性のネジで固定し、前記胴からは竜頭が突出し、また、前記外装部には前記胴の側面を覆う側面覆い部が形成され、前記側面覆い部には、前記竜頭が前記側面覆い部から突出するための開口部が形成されており、さらに前記側面覆い部には一対の開口部が形成され、前記一対の開口部は、前記バーアンテナの軸線の延長線を中心として形成されており、かつ前記側面覆い部の下縁が切り欠かれて形成されていることを特徴とする電波時計。
【発明の詳細な説明】
【０００１】
【発明の属する技術分野】
本発明は、時刻情報を含む所定の電波を受信して時刻を修正する電波時計に関する。
【０００２】
【従来の技術】
標準電波等を受信する電子時計、すなわち時刻情報を含む標準電波(搬送波)を受信し、この電波から時刻情報を取り出すことにより、正確な時刻を得ることのできる電波時計はすでに知られている。この時刻情報を含む電波は、各国毎に周波数が異なり、例えば日本では郵政省の管轄下において、４０ｋＨｚの標準電波が発信されている。
図１は、このような電波時計の機能の概略を示す一例である。
この電波時計は、アンテナ１、電波時計受信機２、ＣＰＵ３、および表示駆動部４から構成される。その他図示していないが時分針または液晶等による表示部が含まれる。
【０００３】
アンテナが時刻情報を含む電波を受信する。そして、電波時計受信機が、アンテナで受信した電波を増幅検波することにより、電波から時刻情報を取り出して出力する。受信機から出力された時刻情報に基づき、ＣＰＵが現在時刻データを出力する。ＣＰＵから出力された現在時刻データに基づき、表示駆動部が表示部に現在時刻を表示する。
ＣＰＵに対して、たとえばリセット等の操作情報を入力するための入力装置５が備えられてもよい。
【０００４】
電波に含まれている時刻情報(タイムコード)は、６０秒周期のパルス信号であり、１秒ごとに、２００、５００、８００(msec)のいずれかの幅を有するパルスが１つ乗っている。これらパルスの組み合わせにより、６０秒で時刻情報が得られる。ＣＰＵ３は、受け取ったパルス信号から１秒ごとのパルスのパルス幅を読み取っていくことにより、時刻情報(現在時刻)を取得する。そして、ＣＰＵは、取得した時刻情報により、表示駆動部４を介して表示部における表示時刻を修正する。
よって、電波時計は、受信した時刻情報に基づき、表示時刻が所定間隔毎に修正されることにより、常に正確な時刻を表示できる。
【０００５】
このような電波時計として、アンテナ、電波時計受信機、ＣＰＵ、表示駆動部および表示部を、アンテナ収納体であるケースの中に収納した腕時計が、すでに提供されている。このケースの素材には、アンテナが電波を受信するために合成樹脂やセラミックなどの非電導性材料が主として用いられてきた。
即ち、金属などの電導材料からなるケース内部にアンテナを収納すると、アンテナからの磁界によって、金属ケースに起電力が発生して、ケースに電流が誘起される。その電流により磁界が乱れて、アンテナが標準電波を受信できなくなるほどに、アンテナの受信機能が低下してしまうからである。
【０００６】
しかしながら、このようなアンテナの受信障害を避けるため、合成樹脂製のケースを用いると、ケースの耐傷性、あるいは耐薬品性の低下をまねくばかりか、装身具としての腕時計に必要とされる高級感や美観も損なわれることになる。
このため、ケースに金属を用いた電波腕時計が提案されている。（たとえば、特許文献１参照）
【０００７】
図２は、ケースの一部に金属を用いた電波腕時計の構造の一例を示す。
この腕時計のケース１０は、胴１１と裏蓋１２と風防１３とから概略構成されている。図示しないバンドに連結された胴内部に、ムーブメント１４が公知の手段で配置されている。ムーブメントの上方には、時刻表示部である文字板１５と針１６が、同じく公知の手段で配置されている。そして、ムーブメントの下方で、かつ裏蓋の上方に位置して、磁気長波アンテナであるバーアンテナ１７が配置されている。このバーアンテナは、フェライト材からなる磁芯部材１８と、この磁芯部材に巻回されたコイル２０とよりなり、合成樹脂製の保持部材の上面に固定されている。
【０００８】
ムーブメント１４は、前述した電波時計受信機、ＣＰＵ、および表示駆動部を備え、導線２１によってバーアンテナ１７と電気的に導通される。従って、バーアンテナが受信した標準電波に基づいて、ムーブメントのＣＰＵが、表示駆動部における、図示しないギア機構を動作させて、表示部の針１６の位置を常に修正するように駆動する。
なお、ここで、上下方向とは、図２における上下を基準とする。
【０００９】
胴１１は導電材料で中空でない、即ちソリッド金属、たとえばソリッドステンレスからなる。胴の最上部には、非導電材料であるガラスからなる風防１３が、接着等の公知の手段で固定される。文字板１５は、非導電材料である合成樹脂やセラミックなどからなる。裏蓋１２は、胴１１に固定されたステンレスからなる環状の縁枠２２と、縁枠内に固定されたガラス２３とからなる。
このように、この腕時計は、ケースの上下面には非導電材料が視認されるものの、ケースの側面部分を金属で構成しているため、装身具としての高級感や美観を損なわないという利点がある。
【００１０】
【特許文献１】
特開２００１−３３５７１号公報
【００１１】
【発明が解決しようとする課題】
しかしながら、図２に示される腕時計は、ケースの胴に金属を採用しているため、金属部材のそばにアンテナを配置するという不利は避けられない。従って、ケースの全てを非導電材料で構成した場合に比較すれば、この腕時計のバーアンテナの受信性能は４０％近く低下してしまう。そのため、標準電波の送信局からの距離が遠い場所などのように、標準電波を受信しにくい環境下にあっては、この電波腕時計は、しばしば標準電波を受信できない。
【００１２】
また、バーアンテナの受信性能に障害が生じないように、金属胴の内壁とアンテナとの隙間を大きくすると、ケースが、手首に装着するには不釣り合いなほど、大きくなってしまうという問題がる。
本発明は、このような技術的課題に基づいてなされたもので、
第１の目的は、金属などの電導材料を外観として視認できるように構成するにも拘らず、時刻情報等、所定の情報を含んだ電波を良好に受信することのできる電波時計装置、信号受信装置を提供することにある。
【００１３】
また、第２の目的は、金属などの電導材料を外観として視認できるように構成し、しかも小型にできる電波時計装置、信号受信装置を提供することにある。
【００１４】
【課題を解決するための手段】
本発明の電波時計は、裏蓋と、非電導性材料で構成された胴を備えたケース内に、バーアンテナとムーブメントを収納し、前記ケースとは別体で、かつ電導性材料で構成された外装部を前記ケースの外側に配置し、前記バーアンテナの軸線の延長線と平面視で重ならない位置で前記胴と前記裏蓋を電導性のネジで固定したことを特徴とする。
【００１５】
また、前記胴からは竜頭が突出し、また、前記外装部には前記胴の側面を覆う側面覆い部が形成され、前記側面覆い部には、前記竜頭が前記側面覆い部から突出するための開口部が形成されていることを特徴とする。
【００１６】
また、前記側面覆い部に一対の開口部が形成され、前記一対の開口部は、前記バーアンテナの軸線の延長線を中心として形成されていることを特徴とする。
【００１７】
また、前記一対の開口部は、前記側面覆い部の下縁が切り欠かれて形成されていることを特徴とする。
【００３１】
【発明の実施の形態】
（実施形態１）
図３は本発明の第１実施形態を示す分解斜視図、図４は腕時計の１２時６時線に沿う断面図、図５は３―９時線に沿う断面図である。
アンテナ収納体としての腕時計ケース１０は、胴３０、裏蓋３１、風防３２、および外装部４７を含む。ケース１０の内部には、時計装置を制御するムーブメント３７が内蔵される。
胴３０及び裏蓋３１は、合成樹脂、ゴム、セラミック等の電気的非電導性材料で作られる。風防３２は、非電導性材料のガラスで作られ、胴３０の段部３０ａにパッキン３９を介して固定される。
【００３２】
図４、図５に示すように、胴３０は円筒状を成す環状の枠体であり、通常の腕時計と同様に、両端にバンド連結脚部３３及び竜頭３４が突出している。バンド連結脚部それぞれには、ばね棒などの連結ピンによって、バンドが連結される。
ケース内には時刻表示部としての文字板３５、指針３６、ムーブメント３７、バーアンテナ３８が収納されている。文字板３５は合成樹脂、セラミック等の非電導性材料からなる。文字板３５は、胴３０の内壁に形成された、内側に張り出した環状の段部４０と、ムーブメント３７の上面に挟まれて支持されている。
ムーブメント３７の上部は径の大きい円筒で、下部が径の小さい円筒小径を成す。よって、ムーブメント３７の上部が径方向に沿って外方に張り出し、その張り出した上部の下面に広い段部４１が形成される。
裏蓋３１は環状突起４３を有し、ネジ４２でパッキン４６を介して胴に固定され、環状突起４３がムーブメント３７の段部４１を押し上げる。よって、ムーブメントと文字板が胴３０の段部４０に押圧され、胴３０内に固定される。
バーアンテナ３８は磁芯部材４４とそれに巻かれたコイル４５とよりなり、竜頭３４と平行に広い段部４１の下に、水平面方向に沿って配置される。すなわち、バーアンテナはケース内の下部の低位置に収納されている。
ここで、上下とは、図面の上下を基準とする。また、水平面方向とは、図面の左右方向を言う。
【００３３】
胴３０はムーブメント３７、文字板３５、針３６及び風防３２を収納する為、バーアンテナの軸線方向を含み、水平面方向に大きな厚みを有している。
本発明によれば、胴の上面に環状の外装部４７が多数のネジ４８により固定されている。外装部４７はステンレス、黄銅、チタン、チタン合金等の電導性材料で薄く作られる。外装部４７は、胴３０の上面の形状に沿って上部平面４７ａ、斜面４７ｂ及び下部平面４７ｃよりなる。外装部４７の下部平面４７ｃを貫通し、胴３０に螺合されるネジ４８によって、外装部４７は胴３０に固定される。そして、外装部４７はバーアンテナ３８の軸線ＡＸを含む水平面内には配置されていない。また外装部は軸線ＡＸの延長線上にも配置されていない。
【００３４】
上記のように電導性金属外装部４７は厚みが薄く胴３０の上面の一部のみに設けあれ、ケースの大部分は非電導性材料で構成され、バーアンテナ３８は外装部４７より最も離れた位置に配置され、しかもバーアンテナの軸線ＡＸを含む水平面、及び延長線上には外装部は存在しないので、受信障害は最小限に抑えられ、時刻を確実に修正することができる。
尚、時刻表示部は液晶によるデジタル表示でもよい。またここで表現している外装部は、塗装膜やめっき被膜などのコーティングではなく、アンテナ収納体とは別体の部材を意味する。
本実施形態では各部の接合を導電性のある金属製ネジで行っているが、硬質な合成樹脂製のネジや接着剤による接合にすれば、更に受信障害を避けることができる。
【００３５】
なお、この実施形態１では、アンテナ収納体である胴３０の外表面全体に、メタリック顔料を含む塗装により、金属感のあるステンレス色調を呈する装飾層を形成した。また、この胴３０に、磁性の低いオーステナイト系ステンレスから成る外装部４７を取り付けた。よって、この実施形態における電波時計は、全体に金属感のあるステンレス色調を呈した。
【００３６】
（実施形態２）
図６は本発明の第２実施形態を示す分解斜視図、図７は第２外装部を示す斜視図、図８は１２−６時線に沿う断面図、図９は３−９時線に沿う断面図、図１０は側面図、図１１は参考例を示す側面図、図１２は竜頭の軸線に沿う切断平面図である。
本実施形態による腕時計は、胴５０、裏蓋５１、風防５２を備えるケースが、２組の第１外装部５３、第２外装部５４を有することを特徴とする。
【００３７】
胴５０及び裏蓋５１は、合成樹脂、ゴム、セラミック等の電気非電導性材料で作られる。風防５２は非電導性材料のガラスで作られ、パッキン４９を介して胴５０の段部５０ａに固定される。
図６に示すように、胴５０は円筒状で竜頭５６が突出している。ケース内には図８、図９に示すように文字板５７、指針５８、ムーブメント６０、バーアンテナ６１が収納されている。文字板５７は合成樹脂、セラミック等の非電導性材料からなる。実施形態１と同じく、ムーブメント６０は、その径の大きい円柱状の上部と径の小さい円柱状の下部が形成する、下方を向いた段部６３を備える。裏蓋５１は環状突起６６を有し、ネジ６４でパッキン６５を介して胴に固定される。環状突起６６がムーブメント６０の段部６３を押し上げ、よってムーブメントと文字板は胴５０の段部５０ｂに押圧され、胴の内側に固定される。
【００３８】
バーアンテナ６１は磁芯部材６７とそれに巻かれたコイル６８とよりなる。図１２に示すように、バーアンテナ６１は、竜頭５６と平行に水平面方向に沿ってムーブメント６０の広い段部６３の下に配置される。よって、バーアンテナはケース内の下部の低位置に収納される。
第１及び第２外装部５３，５４は、ステンレス、黄銅、チタン、チタン合金等の電導性の材料で薄く作られる。
【００３９】
第１外装部５３は、図６、図７に示すように、環状円板形状で、上部は外方に下降する斜面５３ａと、下面に段部５３ｂを有する。第１外装部５３は、胴５０の上面に形成された環状突部の平面部５０ｄに、両面接着テープ５３ｅを介して接着されている。
一方、第２外装部５４は、円筒状で胴の側面を覆う側面覆い部５４ａと上部の内方突出係合部５４ｂとよりなる。係合部５４ｂの上面は、第１外装部５３の斜面５３ａと同じ傾斜の斜面となっているので、腕時計の外観が改善される。
また、図６と８に示すように、第２外装部５４は、両端にバンド連結脚部７６が形成される。バンド連結脚部それぞれには、ばね棒などの連結ピンによって、バンドが連結される。
側面覆い部５４ａを貫通して胴５０の側面に螺合されるネジ７１により、第２外装部５４は胴５０に固定されている。また側面覆い部５４ａには竜頭５６が突出する開口部７３が形成されている。係合部５４ｂは胴５０の段部５０ｃに圧接係合している。
【００４０】
そして、本発明によれば、側面覆い部５４ａに一対の開口部７２が形成されている。この開口部７２は、第２外装部５４の下縁が切り欠かれて形成された切欠部７２ａを備える。開口部７２は、切欠部７２ａによって、第２外装部５４の下縁に向けて開口する。開口部７２は、図９と図１２に示すように、バーアンテナ６１の軸線ＡＸの延長線を中心として形成されている。また、導電性のある金属製ネジ６４及び７１も、軸線ＡＸの延長線上に配置されていない。また側面覆い部５４ａの径方向の厚さは薄く、胴５０の厚みは大きく、従って側面覆い部５４ａをバーアンテナ６１より大きく離している。
このようにバーアンテナ６１の軸線ＡＸ延長線上には金属物は全くなく非電導性の胴のみであり、胴の厚さは厚く、特に第２外装部５４の側面覆い部５４ａが大きく胴５０の側面を覆っているにも拘らず、受信障害を極めて少なくすることができる。
【００４１】
開口部７２には切欠部７２ａが形成されているので、この切欠部により第２外装部５４内に開口部７２を囲んで発生しようとする環状の電流の発生を防ぐことができる。
若し図１１に示すように閉じた円の開口部７７とすると、開口部７７の周囲に誘起される電流が円周状のコイルを形成し、このコイルがアンテナの受信を著しく阻害するので不適当である。
さらに、図に示すように、第１外装部５３と第２外装部５４とは、互いに接触しないように隔離されて胴５０に配置される。このように、外装部５３と５４とが、電気的に導通しないように絶縁されると、外装部５３と５４を跨ぐ環状電流が発生しないので、さらにアンテナの良好な受信が維持される。
【００４２】
なお、この実施形態２において、前述の装飾層に換えて、胴５０の外表面全体に、乾式メッキ法により、装飾層としてステンレス鋼被膜を形成した。この胴５０に、黄銅から成る外装部５３と５４を取り付けた。よって、この電波時計は、外装部５３と５４のみが金色色調を呈し、他の部分は金属感のあるステンレス色調を呈した。
【００４３】
（実施形態３）
この実施形態３は、実施形態２に記載した電波時計における、乾式めっき法による装飾層を、湿式めっき法による装飾層に換えただけであるので、装飾層以外の部品には、実施形態２と同じ番号を付した。
本実施形態では、環状の枠体である胴５０における、２本の連結脚部７６の間に位置する所定の部分にマスキングインクを塗布し、その後、胴５０の外表面に、湿式メッキ法により、装飾層としてパラジウムメッキを形成した。すると、胴５０の外表面におけるマスキングインクを塗布した部分以外に、ステンレス色調を呈したパラジウムメッキ被膜からなる装飾層８１が形成された。次いで、マスキングインクを胴５０から剥離し、胴５０の外表面を露出させた。この露呈した胴５０の外表面部分がスリット部８０として形成された。
【００４４】
図１３は、胴５０の縦断面を見せ、図１４は、スリット部が形成された部分の胴５０の縦断面を見せる。図１３と１４に見るように、スリット部８０は、胴５０の上面、外側の側面、下面、内側の側面に沿って、所定の幅をもった環状帯に形成される。よって、スリット部は、環状の胴５０に被覆された装飾層８１が環状の導電層を形成しないように、装飾層８１を分断する。これにより、アンテナの受信性能を低下させる干渉磁界を発生させる環状電流が装飾層に誘導されることがないので、良好なアンテナの受信性能が維持される。
【００４５】
この胴５０に、磁性の低いオーステナイト系ステンレスから成る外装部５３に、乾式めっき法によって、装飾層である金−チタン合金被膜を被覆して、胴５０に取り付けた。同じくオーステナイト系ステンレスから成る外装部５４は、装飾層を形成せずに、胴５０に取り付けた。よって、この電波時計は、外装部５３のみが金色色調を呈し、他の部分は金属感のあるステンレス色調を呈した。
【００４６】
なお、胴５０のスリット部は、胴５０に被せられた外装部５４に覆われて目立たない。かつ、連結脚部７６にバンドが連結されると、スリット部は、バンドによっても隠される。よって、スリット部８０によって、電波時計の美観が損なわれることはない。このように、スリット部８０は、電波時計の美観を損なわないように、胴５０における、視認されにくい箇所に設けることが好ましい。
また、この実施形態では、マスキングインクを剥離してスリット部８０を形成したが、マスキングインクを剥離せずに残存させ、それをスリット部としてもよい。
【００４７】
【発明の効果】
本発明によれば、アンテナを収容するアンテナ収納体が、非電導性であり、アンテナ収納体の外側の少なくとも一部を覆う外装部が金属などの電導性であるので、アンテナ収納体そのものが電導性材料である場合と比べ、アンテナと電導性材料との距離を大きくでき、電導性材料がアンテナの近傍に位置することに起因するアンテナの受信障害を少なくし、アンテナが良好に電波を受信できる電波時計を提供することができる。
【００４８】
また、金属などの電導性の外装部により、電波時計に金属感のある外観が付与でき、合成樹脂などの非電導性材料をアンテナ収納体に用いながらも、高級感や美観を損なうことはない。
【図面の簡単な説明】
【図１】電波時計の機能の概略を示すブロック図である。
【図２】ケースの一部に金属を用いた電波腕時計を示す断面図である。
【図３】本発明の第１実施形態を示す分解斜視図である。
【図４】腕時計の１２時６時線に沿う断面図である。
【図５】３―９時線に沿う断面図である。
【図６】第２実施形態を示す分解斜視図である。
【図７】第２外装部を示す斜視図である。
【図８】１２−６時線に沿う断面図である。
【図９】３−９時線に沿う断面図である。
【図１０】側面図である。
【図１１】参考例を示す側面図である。
【図１２】竜頭の軸線に沿う切断平面図である。
【図１３】第３実施形態を示す縦断面を含む斜視図である。
【図１４】第３実施形態を示す別の縦断面を含む斜視図である。
【符号の説明】
１      アンテナ
２      電波時計受信機
３      ＣＰＵ
４      表示駆動部
５      入力装置
１０    ケース
１１    胴
１２    裏蓋
１３    風防
１４    ムーブメント
１５    文字板
１６    針
１７    バーアンテナ
１８    磁芯部材
２０    コイル
２１    導線
２２    縁枠
２３    ガラス
３０    胴
３０ａ  段部
３１    裏蓋
３２    風防
３３    バンド連結脚部
３４    竜頭
３５    文字板
３６    指針
３７    ムーブメント
３８    バーアンテナ
３９    パッキン
４０    段部
４１    段部
４２    ネジ
４３    環状突起
４４    磁芯部材
４５    コイル
４６    パッキン
４７    外装部
４７ａ  上部平面
４７ｂ  斜面
４７ｃ  下部平面
４８    ネジ
４９    パッキン
５０    胴
５０ａ  段部
５０ｂ  段部
５０ｃ  段部
５０ｄ  平面部
５１    裏蓋
５２    風防
５３    第１外装部
５３ａ  斜面
５３ｂ  段部
５４    第２外装部
５４ａ  側面覆い部
５４ｂ  内方突出係合部
５６    竜頭
５７    文字板
５８    指針
６０    ムーブメント
６１    バーアンテナ
６３    段部
６４    ネジ
６５    パッキン
６６    環状突起
６７    磁芯部材
６８    コイル
７１    ネジ
７２    開口部
７２ａ  切欠部
７３    開口部
７６    バンド連結脚部
７７    開口部
【図１】
0004382379.tif 000002
【図２】
0004382379.tif 000003
【図３】
0004382379.tif 000004
【図４】
0004382379.tif 000005
【図５】
0004382379.tif 000006
【図６】
0004382379.tif 000007
【図７】
0004382379.tif 000008
【図８】
0004382379.tif 000009
【図９】
0004382379.tif 000010
【図１０】
0004382379.tif 000011
【図１１】
0004382379.tif 000012
【図１２】
0004382379.tif 000013
【図１３】
0004382379.tif 000014
【図１４】
0004382379.tif 000015